(57)【要約】  【課題】  共通のチューナを使用して地上アナログテレビジョン放送、地上デジタルテレビジョン放送、および地上デジタル音声放送の三つの放送を受信する場合に生じる地上アナログテレビジョン放送から地上デジタル音声放送への混信を防止して、地上デジタル音声放送を良好に受信できるようにする、デジタル放送受信装置を提供する。  【解決手段】  地上アナログ／デジタルチューナ３において、地上デジタルテレビジョン放送の受信時と地上デジタル音声放送の受信時で、中間周波数のフィルタの帯域幅を可変することにより回路構成を複雑にすることなく、ＢＳデジタルテレビジョン放送を受信する場合と地上デジタルテレビジョン放送を受信する場合の両方において、順次循環的にサービスモードを切り換えることができる。【選択図】        図５
2006042128.tif 000002
【特許請求の範囲】
【請求項１】
地上デジタルテレビジョン放送及び地上デジタル音声放送を受信するための地上デジタルチューナと、
前記地上デジタルチューナからの出力が供給される第１の復調部であって、前記地上デジタルテレビジョン放送の信号に含まれる第１のテレビジョン信号および第１のデータ信号と、前記地上デジタル音声放送の信号に含まれる第１の音声信号を復調することが可能な第１の復調部と、
衛星デジタル放送を受信するための衛星デジタルチューナと、
前記衛星デジタルチューナからの出力が供給される第２の復調部であって、前記衛星デジタル放送の信号に含まれる第２のテレビジョン信号と第２のデータ信号と第２の音声信号とを復調することが可能な第２の復調部と、
前記第１の復調部から供給される前記第１のテレビジョン信号と前記第１のデータ信号と前記第１の音声信号と、前記第２の復調部から供給される前記第２のテレビジョン信号と前記第２のデータ信号と前記第２の音声信号の中から所定の信号を選択して出力するための選択部と、
ユーザからの指示を受けて、前記地上デジタルチューナと前記衛星デジタルチューナを制御して所望のチャンネルを受信するとともに、前記選択部を制御して所望のサービスモードを選択する制御部と
を備えており、
前記地上デジタルチューナは、
前記地上デジタルテレビジョン放送の受信に適した広帯域幅と前記地上デジタル音声放送の受信に適した狭帯域幅との間で通過帯域幅を変更することが可能な可変帯域幅フィルタ部を備えており、
前記制御部は、
地上デジタルテレビジョン放送及び地上デジタル音声放送が受信されている場合には、ユーザによりサービスモードの変更が指示されるたびに、前記第１のテレビジョン信号、前記第１のデータ信号、および前記第１の音声信号を循環的に選択するように前記選択部を制御するとともに、前記可変帯域幅フィルタ部の通過帯域幅を、前記第１のテレビジョン信号と前記第１のデータ信号が選択されたときには広帯域とし、前記第１の音声信号が選択されたときには狭帯域となるように前記可変帯域幅フィルタ部を制御し、
衛星デジタル放送が受信されている場合には、ユーザによりサービスモードの変更が指示されるたびに、前記第２のテレビジョン信号、前記第２のデータ信号、および前記第２の音声信号を循環的に選択するように前記選択部を制御するものであるデジタル放送受信装置。
【発明の詳細な説明】
【技術分野】
【０００１】
この発明は、衛星デジタル放送と地上デジタル放送の両方を受信することが可能なデジタル放送受信装置に関し、特に、使用者が所望の番組を視聴する際の操作性を改善したデジタル放送受信装置に関する。
【背景技術】
【０００２】
近年、放送のデジタル化が進んでおり、既に衛星デジタル放送は２０００年からＳＨＦ帯を使用して実施されている。また、２００３年１２月から地上デジタルテレビジョン放送がＵＨＦ帯を使用して開始され、更に、２０１１年放送開始に向けて、地上デジタル音声放送の実験放送もＶＨＦ帯を使用して開始された。
【０００３】
図１は、上記の衛星デジタル放送のサービス形態を示す模式図である。各放送事業者Ａ、放送事業者Ｂ等により作成された番組は、ＭＰＥＧ−２（Motion Picture Experts Group−２）のトランスポートストリーム（TS: Transport Stream）の形態でアップリンクセンター３０に送られ、このアップリンクセンター３０で時分割多重化されて送信局３１に送られる。送信局３１では、所定周波数の搬送波が時分割多重化されたトランスポートストリームで変調されて送信信号が形成され、送信アンテナ３２を介して放送衛星（BS:Broadcast Satellite）３３に向けて送信される。放送衛星３３においては、送信局３１から送られてきた送信信号が衛星デジタル放送の放送帯域の周波数に変換された後に増幅されて、地上に向けて送信される。送信局３１から送られた送信信号は、受信アンテナ３４で受信されて衛星デジタル放送受信装置３５に供給される。なお、現時点（２００４年）では、日本では衛星デジタル放送用に四つのチャンネル、すなわち四つの搬送周波数が使用されている。
【０００４】
図２は、衛星デジタル放送において使用されるチャンネルと周波数の関係を示す概念図である。図２に示されるように、日本の衛星放送に対しては１２ＧＨｚ帯が割り当てられており、この中のチャンネル１（図中ＢＳ１で示す。以下同様。）、チャンネル３、チャンネル１３、チャンネル１５がデジタル放送用に使用されている。なお、図中のＧＢはガードバンドを示す。なお、アナログ放送用に、チャンネル５、チャンネル７、チャンネル９、チャンネル１１が使用されている。
【０００５】
衛星デジタル放送においては、放送衛星３３内に設けられた各チャンネルに対応した複数のトランポンダを使用して、放送信号の再送信が行われる。１チャンネル分の放送信号は、１個のトランポンダを使用して衛星から送信され、衛星放送のチャンネルが八つ存在する場合には、衛星デジタル放送用に８個のトランポンダが使用される。現在、そのうちの４チャンネル分が衛星デジタル放送用として使用され、４チャンネル分が衛星アナログ放送用として使用されている。
【０００６】
衛星デジタル放送の１チャンネル分の放送信号の中には、複数の放送サービスが含まれている。
【０００７】
下記の表１は、図２に示されるチャンネル１（ＢＳ１）に含まれる放送サービスの種類を示す。先に述べたように、チャンネル１（ＢＳ１）で伝送される信号は、複数のトランスポートストリームに分割され、それぞれのトランスポートストリームを各放送事業者に割り当てて放送が行われている。表１に示されるように、チャンネル１（ＢＳ１）には、テレビジョン放送、音声放送、データ放送が混在している。衛星デジタル放送の各チャンネルはその周波数が異なっているので、衛星デジタル放送受信装置３５においては、受信を希望するチャンネルの周波数の信号が受信されるように、衛星デジタル放送受信装置３５に内蔵されたチューナ（図示せず）を制御することにより、チャンネル１（ＢＳ１）の放送信号が受信できる。先に説明したように、チャンネル１（ＢＳ１）の放送信号のトランスポートストリームには、テレビジョン放送、音声放送、データ放送の情報が含まれているので、チャンネル１（ＢＳ１）の放送信号の全部のトランスポートストリームを受信し、所定部分のトランスポートストリームのみを抽出して復号することにより、１種類のチューナで、テレビジョン放送、音声放送、データ放送のいずれも受信することができる。したがって、衛星デジタル放送受信装置３５においては、テレビジョン放送を受信するための回路を使用して音声放送とデータ放送の受信が可能となる。
【０００８】
【表１】
2006042128.tif 000003
【０００９】
この衛星デジタル放送受信装置３５と同様に、地上デジタル放送を受信する地上デジタル放送受信機においても、１種類のチューナで、テレビジョン放送、音声放送、データ放送のいずれも受信することができるようにすることが望ましい。
【００１０】
しかしながら、下記の表２に示すように、地上デジタルテレビジョン放送方式と地上デジタル音声放送方式とでは、伝送仕様が異なっており、地上デジタルテレビジョン放送を受信するチューナではテレビジョン受信用に特性を合わせて設計されているので、そのままではラジオ放送を地上デジタルテレビジョン放送用のチューナで安定して受信することが出来ない。以下、その理由について説明する。
【００１１】
【表２】
2006042128.tif 000004
【００１２】
図３は、地上デジタルテレビジョン放送と地上デジタル音声放送における１チャンネル分の放送信号の周波数帯域を示す模式図である。地上デジタルテレビジョン放送における放送信号の周波数帯域は、図３Ａに示されるように６ＭＨｚである。なお、地上デジタルテレビジョン放送における放送信号は、１セグメント幅を約４２９ｋＨｚとして１３セグメントから構成されている。これに対して、地上デジタル音声放送における放送信号の周波数帯域は、図３Ｂに示されるように、１セグメント分の幅、すなわち約４２９ｋＨｚである。
【００１３】
地上デジタルテレビジョン放送は、従来の地上アナログテレビジョン放送と同様に、６ＭＨｚの帯域を使用して放送される。これに対して、地上デジタル音声放送は、現在はＶＨＦ帯の第７チャンネルの４ＭＨｚの帯域を使用して放送される。
【００１４】
図４Ａは、地上アナログテレビジョン放送における第７チャンネル近傍の周波数割り当て状態を示す概念図である。各チャンネルは６ＭＨｚの帯域を有している。また、各チャンネルの間隔は、各チャンネルの帯域が重複しないように、基本的に、６ＭＨｚとなっている。しかしながら、第７チャンネルの帯域と第８チャンネルは、例外的に２ＭＨｚ分だけ重複している。なお、第７チャンネルと第８チャンネルが同一地域に割り当てられることはないので、混信の問題は生じない。
【００１５】
図４Ｂは、地上アナログテレビジョン放送と地上デジタル音声放送が混在した場合の周波数割り当て状態を示す概念図である。第６チャンネルと第８チャンネルとの間の帯域は４ＭＨｚであるが、地上デジタル音声放送の伝送帯域幅は、１セグメント形式の場合で４２９ｋＨｚ、３セグメント方式の場合で１,２８９ｋＨｚであるので、第７チャンネルの帯域を使用して、隣接する第６チャンネルと第８チャンネルの地上アナログテレビジョン放送に混信を与えることなく放送が可能である。
【００１６】
地上アナログテレビジョン放送、地上デジタルテレビジョン放送、および地上デジタル音声放送の放送周波数帯は、ＶＨＦ帯およびＵＨＦ帯であるので、これらの三つの放送を共通のチューナを使用して受信することが考えられる。この場合には、チューナにおいて使用される中間周波信号選択用のフィルタの通過特性の帯域は、三つの放送の中で最も広い帯域のものに合わせる必要がある。すなわち、地上アナログテレビジョン放送と地上デジタルテレビジョン放送の帯域は６ＭＨｚ、地上デジタル音声放送の帯域は最大で１,２８９ｋＨｚであるので、フィルタの帯域を６ＭＨｚにする必要がある。
【００１７】
しかしながら、このようにチューナのフィルタの帯域（図４Ｂにおいて破線で示す）を６ＭＨｚにすると、ＶＨＦ帯の第７チャンネルで放送されている地上デジタル音声放送を受信する場合に、図４Ｂに斜線で示す隣接する第８チャンネルの地上アナログテレビジョン放送の信号の一部分が、地上デジタル音声放送の信号に混信してしまい地上デジタル音声放送の受信特性が劣化するという問題が生じる。
【００１８】
特許文献１には、地上デジタルテレビジョン放送と地上デジタル音声放送をともに受信可能であるデジタル放送受信器が開示されている。しかしながら、この特許文献１には、共通のチューナを使用して地上アナログテレビジョン放送、地上デジタルテレビジョン放送、および地上デジタル音声放送の三つの放送を受信する場合に生じる地上アナログテレビジョン放送から地上デジタル音声放送への混信を防止して、地上デジタル音声放送を良好に受信できるようにすることに関しては開示されていない。
【００１９】
【特許文献１】特開２００３−１８４９６号公報
【発明の開示】
【発明が解決しようとする課題】
【００２０】
したがって、この発明の目的は、共通のチューナを使用して地上アナログテレビジョン放送、地上デジタルテレビジョン放送、および地上デジタル音声放送の三つの放送を受信する場合に生じる地上アナログテレビジョン放送から地上デジタル音声放送への混信を防止して、地上デジタル音声放送を良好に受信できるようにする、デジタル放送受信装置を提供することにある。
【課題を解決するための手段】
【００２１】
上述した課題を解決するために、この発明の態様は、
地上デジタルテレビジョン放送及び地上デジタル音声放送を受信するための地上デジタルチューナと、
地上デジタルチューナからの出力が供給される第１の復調部であって、地上デジタルテレビジョン放送の信号に含まれる第１のテレビジョン信号および第１のデータ信号と、地上デジタル音声放送の信号に含まれる第１の音声信号を復調することが可能な第１の復調部と、
衛星デジタル放送を受信するための衛星デジタルチューナと、
衛星デジタルチューナからの出力が供給される第２の復調部であって、前記衛星デジタル放送の信号に含まれる第２のテレビジョン信号と第２のデータ信号と第２の音声信号とを復調することが可能な第２の復調部と、
第１の復調部から供給される第１のテレビジョン信号と第１のデータ信号と第１の音声信号と、第２の復調部から供給される第２のテレビジョン信号と第２のデータ信号と第２の音声信号の中から所定の信号を選択して出力するための選択部と、
ユーザからの指示を受けて、地上デジタルチューナと衛星デジタルチューナを制御して所望のチャンネルを受信するとともに、選択部を制御して所望のサービスモードを選択する制御部と
を備えており、
地上デジタルチューナは、
地上デジタルテレビジョン放送の受信に適した広帯域幅と地上デジタル音声放送の受信に適した狭帯域幅との間で通過帯域幅を変更することが可能な可変帯域幅フィルタ部を備えており、
制御部は、
地上デジタルテレビジョン放送及び地上デジタル音声放送が受信されている場合には、ユーザによりサービスモードの変更が指示されるたびに、第１のテレビジョン信号、第１のデータ信号、および第１の音声信号を循環的に選択するように選択部を制御するとともに、可変帯域幅フィルタ部の通過帯域幅を、第１のテレビジョン信号と第１のデータ信号が選択されたときには広帯域とし、第１の音声信号が選択されたときには狭帯域となるように可変帯域幅フィルタ部を制御し、
衛星デジタル放送が受信されている場合には、ユーザによりサービスモードの変更が指示されるたびに、第２のテレビジョン信号、第２のデータ信号、および第２の音声信号を循環的に選択するように選択部を制御するものであるデジタル放送受信装置である。
【発明の効果】
【００２２】
この発明によれば、地上デジタルチューナにおいて、地上デジタルテレビジョン放送の受信時と地上デジタル音声放送の受信時で、中間周波数のフィルタの帯域幅を変更するようにしたので、同一のチューナで、地上デジタルテレビジョン放送と地上デジタル音声放送の両方を適切に受信することができる。これにより、回路構成を複雑にすることなく、衛星デジタル放送を受信する場合と、地上デジタル放送を受信する場合の両方において、サービスモードの変更を指示するたびに、例えば、テレビジョンサービス→音声サービス→データサービス→テレビジョンサービスというように、順次循環的にサービスモードを切り換えることができる。このように衛星デジタル放送と地上デジタル放送でユーザの操作が統一されるため、サービスを選択する際の操作性が良くなるという効果が得られる。
【発明を実施するための最良の形態】
【００２３】
以下、この発明の実施の形態について図面を参照して説明する。
【００２４】
図５は、この発明の一実施態様であるデジタル放送受信装置を示すブロック図である。なお、図５に示す受信装置は、アナログ放送も受信可能であるが、デジタル放送の受信が主体であるので、ここではデジタル放送受信装置と称する。また、説明を簡単にするために、ここでは通信衛星(CS: Communication Satellite)による衛星デジタル放送の受信系については、説明を省略している。
【００２５】
ＶＨＦ帯（９０ＭＨｚ〜２２０ＭＨｚ）およびＵＨＦ帯（４４０ＭＨｚ〜７７０ＭＨｚ）で送信される地上アナログテレビジョン放送信号は、ＶＨＦアンテナ１およびＵＨＦアンテナ２で受信されて地上アナログ／デジタルチューナ３に供給される。また、ＵＨＦ帯で送信される地上デジタルテレビジョン放送信号は、ＵＨＦアンテナ２で受信されて地上アナログ／デジタルチューナ３に供給され、ＶＨＦの第７チャンネルで送信される地上デジタル音声放送信号は、ＶＨＦアンテナ１で受信されて地上アナログ／デジタルチューナ３に供給される。
【００２６】
図６は、地上アナログ／デジタルチューナ３の内部構成を示すブロック図である。地上アナログ／デジタルチューナ３は、ＶＨＦアンテナ１およびＵＨＦアンテナ２から供給される信号を増幅する高周波増幅回路３ａ、局部発振信号を発生する局部発振回路３ｂ、高周波増幅回路３ａの出力信号と局部発振回路３ｂからの局部発振信号を混合して中間周波信号を出力する混合回路３ｃ、混合回路３ｃの出力信号の供給先を切り換える切換部３ｄ、混合回路３ｃの出力信号が切換部３ｄによって選択的に切り換えられて供給される音声用フィルタ３ｅおよびテレビ用フィルタ３ｆ、音声用フィルタ３ｅおよびテレビ用フィルタ３ｆの出力信号が供給される中間周波増幅回路３ｇ、上記した高周波増幅回路３ａと局部発振回路３ｂと切換部３ｄの動作を制御する選局回路３ｈを備えている。なお、切換部３ｄは、電源投入直後など初期状態においては、テレビ用フィルタ３ｆ側に切り換えられているものとする。
【００２７】
上記音声用フィルタ３ｅは、図８Ａに示されるように、隣接するチャンネルのテレビジョン放送信号の妨害を受けないように、通過帯域幅（破線で示す）が４ＭＨｚとされている。また、テレビ用フィルタ３ｆは、図８Ｂに示されるように、テレビジョン放送信号を周波数帯域の全体を受信できるように、通過帯域幅（破線で示す）が６ＭＨｚとされている。
【００２８】
なお、図７に示すように、音声用フィルタ３ｅとテレビ用フィルタ３ｆの二つのフィルタを使用するのに代えて、図８に示されるような外部からの制御信号により通過帯域幅を４ＭＨｚと６ＭＨｚとの間で変更することができる可変帯域幅フィルタ３ｉを使用することもできる。
【００２９】
上記地上アナログ／デジタルチューナ３では、入力されたＶＨＦ帯（９０ＭＨｚ〜２２０ＭＨｚ）およびＵＨＦ帯（４４０ＭＨｚ〜７７０ＭＨｚ）の中の所望のチャンネルすなわち周波数の信号が、所定の周波数の、例えば５７ＭＨｚの中間周波信号に変換される。すなわち、地上アナログ／デジタルチューナ３は、基本的には、従来の地上アナログテレビジョン放送受信用のＶＨＦ/ＵＨＦチューナと同様な機能を有する。
【００３０】
ＶＨＦ帯（９０ＭＨｚ〜２２０ＭＨｚ）およびＵＨＦ帯（４４０ＭＨｚ〜７７０ＭＨｚ）で送信される地上アナログテレビジョン放送の受信時には、地上アナログ／デジタルチューナ３からの中間周波信号は、ＮＴＳＣ用の映像／音声復調部４に供給され復調されて、映像信号Ｓ１および音声信号Ｓ２が得られ、映像信号Ｓ１は映像用の切換部５の一方の入力に供給され、音声信号Ｓ２は音声用の切換部６の一方の入力に供給される。
【００３１】
ＶＨＦ帯（９０ＭＨｚ〜２２０ＭＨｚ）およびＵＨＦ帯（４４０ＭＨｚ〜７７０ＭＨｚ）で送信される地上デジタルテレビジョン放送の受信時には、地上アナログ／デジタルチューナ３からの中間周波信号は、ＯＦＤＭ復調部７に供給されてＯＦＤＭ信号が復調され、ＭＰＥＧのトランスポートストリームＴＳ１が得られる。このトランスポートストリームＴＳ１は、トランスポートストリーム用の切換部８の一方の入力に供給される。
【００３２】
ＳＨＦ帯（１２ＧＨｚ）で送信される衛星デジタルテレビジョン放送信号は、ＳＨＦアンテナ９で受信され、図示しないＬＮＢ(low noise block)コンバータで１ＧＨｚ帯の中間周波信号に変換されて衛星デジタルチューナ１０に供給される。衛星デジタルチューナ１０では、入力された１ＧＨｚ帯の中間周波信号の中の所望のチャンネルすなわち周波数の信号が、ダイレクトコンバージョンにより、Ｉ信号とＱ信号に変換され、これらの信号はＱＰＳＫ復調部１１に供給されてＱＰＳＫ信号が復調され、ＭＰＥＧのトランスポートストリームＴＳ２が得られる。このトランスポートストリームＴＳ２は、切換部８の他方の入力に供給される。
【００３３】
トランスポートストリーム用の切換部８のトランスポートストリーム出力は、デマルチプレクサ１２に供給され、トランスポートストリームに時分割的に多重して含まれている映像データ、音声データ、放送データなどが分離される。
【００３４】
デマルチプレクサ１２で分離された映像データおよび音声データは、ＭＰＥＧデコーダ１３に供給され、復号されて映像信号Ｓ３と音声信号Ｓ４が得られる。ＭＰＥＧデコーダ１３からの映像信号Ｓ３は、映像用の切換部５の他方の入力に供給され、音声信号Ｓ４は音声用の切換部６の他方の入力に供給される。
【００３５】
なお、以下の説明においては、切換部５と切換部６を、映像／音声復調部４の側に切り換えることをアナログ側に切り換えると称する。また、ＭＰＥＧデコーダ１３の側に切り換えることをデジタル側に切り換えると称する。
【００３６】
映像用の切換部５の出力は、映像処理部１４に供給されて、所定の画像処理を受けてＣＲＴ（Cathode Ray Tube）、ＬＣＤ（Liquid Crystal Display）、ＰＤＰ（Plasma Display Panel）などの映像出力装置１５に供給される。また、音声用の切換部６の出力は、音声処理部１６に供給されて、所定の音声処理を受けてスピーカなどの音声出力装置１７に供給される。
【００３７】
デマルチプレクサ１２で分離されたデータ放送用の放送データは、放送データ処理部１８に供給され、ユーザの指定に応じた所定の処理、例えばＥＰＧ表示処理等の処理を受ける。映像データ生成部１９には、放送データ処理部１８からの制御信号が供給され、映像データ生成部１９において、映像出力装置１５で所定の画像を表示させるための画像信号が生成される。映像データ生成部１９からの画像信号は、映像処理部１４において、放送信号の映像信号と合成される。
【００３８】
上記したデジタル放送受信装置全体の制御は、マイクロプロセッサ等により実現される制御部２０により行われる。図５に示す実施態様においては、制御部２０により、地上アナログ／デジタルチューナ３、衛星デジタルチューナ１０、切換部５、切換部６および切換部８の動作が制御されるようになっているが、図示されていないこれ以外の回路部分も制御部２０により制御される。
【００３９】
制御部２０には遠隔操作信号受信部２１が接続されており、遠隔操作信号送信器２２からの遠隔制御信号が遠隔操作信号受信部２１で受信されて、遠隔制御信号の内容が判別され、ユーザの指示に応じた制御が制御部２０で行われる。
【００４０】
制御部２０からは、地上アナログ／デジタルチューナ３と衛星デジタルチューナ１０に対して選局データＳ５が供給され、チューナの切り換えとチャンネルの切り換えが行われる。
【００４１】
図９は、遠隔操作信号送信器２２の外観を示す模式図である。ただし、図９においては、この発明の説明に必要な部分のみを抜粋して図示してあり、他の部分は省略している。遠隔操作信号送信器２２は、通常の遠隔操作信号送信器（いわゆるリモコン）と同様に、電源ボタン２２ａ、チャンネル選択ボタン２２ｂ、チャンネルアップダウンボタン２２ｃ、音量アップダウンボタン２２ｄを備えている。さらに、遠隔操作信号送信器２２は、受信する放送システムを選択するための地上アナログ放送ボタン２２ｅと地上デジタル放送ボタン２２ｆと衛星デジタル放送ボタン２２ｇ、および、サービスモードをテレビジョン放送、音声放送、データ放送の順で順次循環的に切り換えるサービスモードボタン２２ｈを備えている。
【００４２】
次に、上述したデジタル放送受信装置の動作について説明する。
【００４３】
（１）  地上アナログテレビジョン放送受信
まず、地上アナログテレビジョン放送信号を受信する場合について説明する。ただし、デジタル放送受信装置の電源はすでにオンになっているものとする。
【００４４】
例えば、ＶＨＦの第１チャンネルで送信されている地上アナログテレビジョン放送信号を受信する場合には、最初に、図９に示される遠隔操作信号送信器２２の地上アナログ放送ボタン２２ｅをオンとした後に、チャンネル選択ボタン２２ｂの中の数字の１が記入されたボタン、すなわち、第１チャンネルに対応したボタンを押す。遠隔操作信号送信器２２からは、押されたボタンの種類に対応した遠隔制御信号が順次送信され、これらの遠隔制御信号が、図５に示される遠隔操作信号受信部２１で受信され、押されたボタンの種類に対応した制御データに変換されて制御部２０に供給される。
【００４５】
制御部２０では、遠隔操作信号受信部２１から供給される制御データの内容が判別され、制御データが地上アナログ放送ボタン２２ｅに対応するものである場合には、制御部２０から地上アナログ／デジタルチューナ３と衛星デジタルチューナ１０に、地上アナログ／デジタルチューナ３を動作可能とする選局データＳ５が供給され、地上アナログ／デジタルチューナ３のみが動作可能となる。これと同時に、制御部２０から切換部５と切換部６がアナログ側に切り換えられる。すなわち、映像／音声復調部４からの映像信号Ｓ１は切換部５を介して映像処理部１４に供給され、音声信号Ｓ２は切換部６を介して音声処理部１６に供給される。
【００４６】
また、制御データが第１チャンネルに対応したボタンに対応するものである場合には、制御部２０から地上アナログ／デジタルチューナ３と衛星デジタルチューナ１０に、第１チャンネルの受信を指示する選局データＳ５が供給され、地上アナログ／デジタルチューナ３により第１チャンネルが受信される。
【００４７】
地上アナログ／デジタルチューナ３の動作について、さらに詳細に説明すると、図６に示されるように、制御部２０から地上アナログ／デジタルチューナ３に対して第１チャンネルの受信を指示する選局データＳ５が供給されると、この選局データＳ５は選局回路３ｈに供給され、選局回路３ｈからは、高周波増幅回路３ａと局部発振回路３ｂに対して第１チャンネルを受信するのに適した共振周波数に設定するための制御電圧が供給される。したがって、混合回路３ｃからは、第１チャンネルの放送内容に対応した中間周波信号が出力される。
【００４８】
初期状態においては、切換部３ｄは、テレビ用フィルタ３ｆ側に切り換えられているので、混合回路３ｃからの中間周波信号は切換部３ｄを介してテレビ用フィルタ３ｆに供給される。テレビ用フィルタ３ｆは、６ＭＨｚの通過帯域幅を有しているので、地上アナログテレビジョン放送の信号の全帯域の周波数成分が劣化することなく通過する。テレビ用フィルタ３ｆを通過した信号は、中間周波増幅回路３ｇにより所望のレベルまで増幅されて、図５に示す映像/音声復調部４に供給される。映像/音声復調部４においては、ＡＭ（振幅変調）検波により映像信号Ｓ１が得られ、ＦＭ（周波数変調）検波により音声信号Ｓ２が得られる。このとき切換部５は、アナログ側、すなわち映像/音声復調部４の側に切り換えられているので、映像信号Ｓ１は切換部５を介して映像処理部１４に供給されて所定の画像処理を受けた後に映像出力装置１５に供給される。また、音声信号Ｓ２は、切換部６を介して音声処理部１６に供給されて所定の音声処理を受けた後に音声出力装置１７に供給される。これにより、ユーザは第１チャンネルで放送されている地上アナログテレビジョン放送の番組を視聴することができる。
【００４９】
（２）  地上デジタルテレビジョン放送受信
次に、地上デジタルテレビジョン放送信号を受信する場合について説明する。
例えば、ＵＨＦの第２７チャンネルで送信されている地上デジタルテレビジョン放送信号を受信する場合には、最初に、図９に示される遠隔操作信号送信器２２の地上デジタル放送ボタン２２ｆをオンとした後に、チャンネル選択ボタン２２ｂの中のＵＨＦの第２７チャンネルに対応したボタンを押す。遠隔操作信号送信器２２からは、押されたボタンの種類に対応した遠隔制御信号が順次送信され、これらの遠隔制御信号が、図５に示される遠隔操作信号受信部２１で受信され、押されたボタンの種類に対応した制御データに変換されて制御部２０に供給される。
【００５０】
制御部２０では、遠隔操作信号受信部２１から供給される制御データの内容が判別され、制御データが地上デジタル放送ボタン２２ｆに対応するものである場合には、制御部２０から地上アナログ／デジタルチューナ３と衛星デジタルチューナ１０に、地上アナログ／デジタルチューナ３を動作可能とする選局データＳ５が供給され、地上アナログ／デジタルチューナ３のみが動作可能となる。また、制御部２０からの信号経路切換信号Ｓ７により、切換部８がＯＦＤＭ復調部７の側に切り換えられる。さらに、制御部２０からのアナログ／デジタル切換信号Ｓ６により、切換部５と切換部６がデジタル側に切り換えられる。
【００５１】
また、制御データが第２７チャンネルに対応したボタンに対応するものである場合には、制御部２０から地上アナログ／デジタルチューナ３と衛星デジタルチューナ１０に、第２７チャンネルの受信を指示する選局データＳ５が供給され、地上アナログ／デジタルチューナ３により第２７チャンネルが受信される。
【００５２】
地上アナログ／デジタルチューナ３の動作について、さらに詳細に説明すると、図６に示されるように、制御部２０から地上アナログ／デジタルチューナ３に対して第２７チャンネルの受信を指示する選局データＳ５が供給されると、この選局データＳ５は選局回路３ｈに供給され、選局回路３ｈからは、高周波増幅回路３ａと局部発振回路３ｂに対して第２７チャンネルを受信するのに適した共振周波数に設定するための制御電圧が供給される。したがって、混合回路３ｃからは、第２７チャンネルの放送内容に対応した中間周波信号が出力される。
【００５３】
初期状態においては、切換部３ｄは、テレビ用フィルタ３ｆ側に切り換えられているので、混合回路３ｃからの中間周波信号は切換部３ｄを介してテレビ用フィルタ３ｆに供給される。テレビ用フィルタ３ｆは、６ＭＨｚの通過帯域幅を有しているので、地上デジタルテレビジョン放送の信号の全帯域の周波数成分が劣化することなく通過する。
【００５４】
テレビ用フィルタ３ｆを通過した信号は、中間周波増幅回路３ｇにより所望のレベルまで増幅されて、図５に示すＯＦＤＭ復調部７に供給される。ＯＦＤＭ復調部７においては、ＯＦＤＭ復調によりＭＰＥＧのトランスポートストリームＴＳ１が得られ、このトランスポートストリームＴＳ１が切換部８に供給される。
【００５５】
このとき切換部８は、ＯＦＤＭ復調部７の側に切り換えられているので、ＯＦＤＭ復調部７からのトランスポートストリームＴＳ１は、切換部８を介してデマルチプレクサ１２に供給され、映像部分、音声部分、データ部分に分離されてそれぞれ抽出される。映像部分と音声部分はＭＰＥＧデコーダ１３に供給されてそれぞれ復号され、映像信号Ｓ３と音声信号Ｓ４が出力され、切換部５と切換部６に供給される。
【００５６】
このとき切換部５は、デジタル側、すなわちＭＰＥＧデコーダ１３の側に切り換えられているので、映像信号Ｓ３は切換部５を介して映像処理部１４に供給されて所定の画像処理を受けた後に映像出力装置１５に供給される。また、音声信号Ｓ４は、切換部６を介して音声処理部１６に供給されて所定の音声処理を受けた後に音声出力装置１７に供給される。これにより、ユーザは第２７チャンネルで放送されている地上デジタルテレビジョン放送の番組を視聴することができる。
【００５７】
また、デマルチプレクサ１２で分離されたデータ部分は、放送データ処理部１８に供給されて放送データの内容に応じた制御信号が生成される。この制御信号は、映像データ生成部１９に供給されて放送データの内容に応じた画像信号が生成されて、この画像信号は映像処理部１４に供給されて、放送番組の映像信号と合成される。したがって、ユーザはデータ放送の内容を見ることができる。
【００５８】
（３）  地上デジタル音声放送受信
次に、地上デジタル音声放送信号を受信する場合について説明する。
例えば、ＶＨＦの第７チャンネルで送信されている地上デジタル音声放送信号を受信する場合には、最初に、図９に示される遠隔操作信号送信器２２の地上デジタル放送ボタン２２ｆをオンとした後に、サービスモードボタン２２ｈを1回押す。
【００５９】
遠隔操作信号送信器２２からは、押されたボタンの種類に対応した遠隔制御信号が順次送信され、これらの遠隔制御信号が、図５に示される遠隔操作信号受信部２１で受信され、押されたボタンの種類に対応した制御データに変換されて制御部２０に供給される。
【００６０】
制御部２０では、遠隔操作信号受信部２１から供給される制御データの内容が判別され、制御データが地上デジタル放送ボタン２２ｆに対応するものである場合には、制御部２０から地上アナログ／デジタルチューナ３と衛星デジタルチューナ１０に、地上アナログ／デジタルチューナ３を動作可能とする選局データＳ５が供給され、地上アナログ／デジタルチューナ３のみが動作可能となる。また、制御部２０からの信号経路切換信号Ｓ７により、切換部８がＯＦＤＭ復調部７の側に切り換えられる。さらに、制御部２０からのアナログ／デジタル切換信号Ｓ６により、切換部５と切換部６がデジタル側に切り換えられる。
【００６１】
また、制御データが地上デジタル音声放送に対応したボタンに対応するものである場合には、制御部２０から地上アナログ／デジタルチューナ３と衛星デジタルチューナ１０に、第７チャンネルの受信を指示する選局データＳ５が供給され、地上アナログ／デジタルチューナ３により第７チャンネルが受信される。
【００６２】
地上アナログ／デジタルチューナ３の動作について、さらに詳細に説明すると、図６に示されるように、制御部２０から地上アナログ／デジタルチューナ３に対して第７チャンネルの受信を指示する選局データＳ５が供給されると、この選局データＳ５は選局回路３ｈに供給され、選局回路３ｈからは、高周波増幅回路３ａと局部発振回路３ｂに対して第７チャンネルを受信するのに適した共振周波数に設定するための制御電圧が供給される。したがって、混合回路３ｃからは、第７チャンネルの放送内容に対応した中間周波信号が出力される。
【００６３】
初期状態においては、切換部３ｄは、テレビ用フィルタ３ｆ側に切り換えられているが、サービスモードボタン２２ｈが押されることにより、制御部２０から地上アナログ／デジタルチューナ３に対して、図６に示される切換部３ｄを音声用フィルタ３ｅ側に切り換えられる選局データが供給される。したがって、混合回路３ｃからの中間周波信号は切換部３ｄを介して音声用フィルタ３ｅに供給される。音声用フィルタ３ｅは、４ＭＨｚの通過帯域幅を有しているので、地上デジタル音声放送の信号の全帯域の周波数成分が劣化することなく通過するとともに、隣接するチャンネルの放送信号が混入することはない。
【００６４】
音声用フィルタ３ｅを通過した信号は、中間周波増幅回路３ｇにより所望のレベルまで増幅されて、図５に示すＯＦＤＭ復調部７に供給される。ＯＦＤＭ復調部７においては、ＯＦＤＭ復調によりＭＰＥＧのトランスポートストリームＴＳ１が得られ、このトランスポートストリームＴＳ１が切換部８に供給される。
【００６５】
このとき切換部８は、ＯＦＤＭ復調部７の側に切り換えられているので、ＯＦＤＭ復調部７からのトランスポートストリームＴＳ１は、切換部８を介してデマルチプレクサ１２に供給され、音声部分が分離されて抽出される。音声部分はＭＰＥＧデコーダ１３に供給されてそれぞれ復号され、音声信号Ｓ４が出力され、切換部６に供給される。
【００６６】
このとき切換部５は、デジタル側、すなわちＭＰＥＧデコーダ１３の側に切り換えられているので、音声信号Ｓ４は、切換部６を介して音声処理部１６に供給されて所定の音声処理を受けた後に音声出力装置１７に供給される。これにより、ユーザは第７チャンネルで放送されている地上デジタル音声放送の番組を聴取することができる。
【００６７】
（４）  ＢＳデジタルテレビジョン放送受信
次に、地上デジタルテレビジョン放送信号を受信する場合について説明する。
【００６８】
例えば、ＳＨＦの第１チャンネル（ＢＳ１）で送信されているサービスＩＤ１５１ｃｈのＢＳデジタルテレビジョン放送信号を受信する場合には、最初に、図９に示される遠隔操作信号送信器２２のＢＳデジタル放送ボタン２２ｇをオンとした後に、チャンネル選択ボタン２２ｂの中の数字の５が記入されたボタン、すなわち、サービスＩＤ１５１ｃｈに対応したボタンを押す。遠隔操作信号送信器２２からは、押されたボタンの種類に対応した遠隔制御信号が順次送信され、これらの遠隔制御信号が、図５に示される遠隔操作信号受信部２１で受信され、押されたボタンの種類に対応した制御データに変換されて制御部２０に供給される。
【００６９】
制御部２０では、遠隔操作信号受信部２１から供給される制御データの内容が判別され、制御データがＢＳデジタル放送ボタン２２ｇに対応するものである場合には、制御部２０から地上アナログ／デジタルチューナ３と衛星デジタルチューナ１０に、衛星デジタルチューナ１０を動作可能とする選局データＳ５が供給され、衛星デジタルチューナ１０のみが動作可能となる。また、制御部２０からの信号経路切換信号Ｓ７により、切換部８がＱＰＳＫ復調部１１の側に切り換えられる。さらに、制御部２０からのアナログ／デジタル切換信号Ｓ６により、切換部５と切換部６がデジタル側に切り換えられる。
【００７０】
また、制御データがＳＨＦの第１チャンネルに対応したボタンに対応するものである場合には、制御部２０から地上アナログ／デジタルチューナ３と衛星デジタルチューナ１０に、ＳＨＦの第１チャンネルの受信を指示する選局データＳ５が供給され、衛星デジタルチューナ１０によりＳＨＦの第１チャンネルが受信される。衛星デジタルチューナ１０の出力は、図５に示すＱＰＳＫ復調部１１に供給される。ＱＰＳＫ復調部１１においては、ＱＰＳＫ復調によりＭＰＥＧのトランスポートストリームＴＳ２が得られ、このトランスポートストリームＴＳ２が切換部８に供給される。
【００７１】
このとき切換部８は、ＱＰＳＫ復調部１１の側に切り換えられているので、ＱＰＳＫ復調部１１からのトランスポートストリームＴＳ２は、切換部８を介してデマルチプレクサ１２に供給され、映像部分、音声部分、データ部分に分離されてそれぞれ抽出される。映像部分と音声部分はＭＰＥＧデコーダ１３に供給されてそれぞれ復号され、映像信号Ｓ３と音声信号Ｓ４が出力され、切換部５と切換部６に供給される。
【００７２】
このとき切換部５は、デジタル側、すなわちＭＰＥＧデコーダ１３の側に切り換えられているので、映像信号Ｓ３は切換部５を介して映像処理部１４に供給されて所定の画像処理を受けた後に映像出力装置１５に供給される。また、音声信号Ｓ４は、切換部６を介して音声処理部１６に供給されて所定の音声処理を受けた後に音声出力装置１７に供給される。これにより、ユーザはＳＨＦの第１チャンネル（ＢＳ１）で放送されているサービスＩＤ１５１ｃｈのＢＳデジタルテレビジョン放送の番組を視聴することができる。
【００７３】
（５）サービスモード切換
次に、サービスモード切換について説明する。
ＢＳデジタルテレビジョン放送においては、表１に示されるように単一のチャンネルの中にテレビジョンサービス、音声サービス、データサービスの三つが含まれており、これらの情報は同時に受信されているので、チャンネルを切り換えることなく、これらのサービスモードを切り換えることが可能である。
【００７４】
先に述べたような、ＢＳデジタルテレビジョン放送を受信してテレビジョン番組を視聴している状態において、遠隔操作信号送信器２２のサービスモードボタン２２ｈを1回押すと、図５に示されるデマルチプレクサ１２により分離された音声サービスのデータがＭＰＥＧデコータ１３で復号され、ＭＰＥＧデコータ１３からの音声信号Ｓ４は、切換部６を介して音声処理部１６に供給されて所定の音声処理を受けた後に音声出力装置１７に供給される。これにより、ユーザはＢＳデジタル音声放送の番組を聴取することができる。また、音声サービスに関連して送信されてくる静止画情報に基づいて、静止画を生成して表示することも可能である。
【００７５】
サービスモードボタン２２ｈを再度押すと、デマルチプレクサ１２により分離されたデータサービスのデータは、放送データ処理部１８に供給されて放送データの内容に応じた制御信号が生成される。この制御信号は、映像データ生成部１９に供給されて放送データの内容に応じた画像信号が生成されて、この画像信号は映像処理部１４に供給されて、放送番組の映像信号と合成される。したがって、ユーザはデータ放送の内容を見ることができる。
【００７６】
サービスモードボタン２２ｈを再度押すとテレビジョン番組を視聴状態に戻る。すなわち、サービスモードボタン２２ｈを１回押すごとに、テレビジョンサービス→音声サービス→データサービス→テレビジョンサービスというように、順次循環的にサービスモードが切り換えられる。
【００７７】
次に、地上デジタルテレビジョン放送を受信している場合におけるサービスモード切換について説明する。なお、ここでは初期状態において、ＵＨＦの第２７チャンネルを受信しているものとする。このように地上デジタルテレビジョン放送を受信してテレビジョン番組を視聴している状態において、遠隔操作信号送信器２２のサービスモードボタン２２ｈを1回押すと、制御部２０から地上アナログ／デジタルチューナ３と衛星デジタルチューナ１０に、第７チャンネルの受信を指示する選局データＳ５が供給され、地上アナログ／デジタルチューナ３によりＶＨＦの第７チャンネルが受信される。このとき、図５に示される回路は、先に述べたように地上デジタル音声放送を受信するための接続に切り換えられる。これにより地上デジタル音声放送が受信可能となる。
【００７８】
なお、第７チャンネルを受信するのは、現時点では地上デジタル音声放送が行われているのが第７チャンネルのみであるためであり、地上デジタル音声放送が行われるチャンネルの数が増えた場合には、適宜所望のチャンネルに切り換えるようにすればよい。
【００７９】
サービスモードボタン２２ｈを再度押すと、制御部２０から地上アナログ／デジタルチューナ３と衛星デジタルチューナ１０に、第２７チャンネルの受信を指示する選局データＳ５が供給され、地上アナログ／デジタルチューナ３によりＵＨＦの第２７チャンネルが受信される。デマルチプレクサ１２により分離されたデータサービスのデータは、放送データ処理部１８に供給されて放送データの内容に応じた制御信号が生成される。この制御信号は、映像データ生成部１９に供給されて放送データの内容に応じた画像信号が生成されて、この画像信号は映像処理部１４に供給されて、放送番組の映像信号と合成される。したがって、ユーザはデータ放送の内容を見ることができる。
【００８０】
サービスモードボタン２２ｈを再度押すと、テレビジョン番組を視聴状態に戻る。図５に示される回路は、先に述べたように地上デジタルテレビジョン放送を受信するための接続に切り換えられる。これにより地上デジタルテレビジョン放送が受信可能となる。
【００８１】
すなわち、地上デジタルテレビジョン放送を受信している場合においても、サービスモードボタン２２ｈを１回押すごとに、テレビジョンサービス→音声サービス→データサービス→テレビジョンサービスというように、順次循環的にサービスモードが切り換えられる。
【００８２】
上述したように、この発明によれば、回路構成を複雑にすることなく、ＢＳデジタルテレビジョン放送を受信する場合と、地上デジタルテレビジョン放送を受信する場合の両方において、サービスモードボタン２２ｈを押すたびに、テレビジョンサービス→音声サービス→データサービス→テレビジョンサービスというように、順次循環的にサービスモードが切り換えることができる。このようにＢＳデジタルテレビジョン放送と地上デジタルテレビジョン放送でユーザの操作が統一されるため、サービスを選択する際の操作性が良くなるという効果が得られる。
【００８３】
この効果は、地上アナログ／デジタルチューナ３において、地上デジタルテレビジョン放送の受信時と地上デジタル音声放送の受信時で、中間周波数のフィルタの帯域幅を可変することにより得られるようになったものである。もしこのようにフィルタの帯域幅を可変しない場合には、地上デジタルテレビジョン放送用のチューナと地上デジタル音声放送のチューナを個別に設けなければならず、上述したように操作性を統一するためには、回路構成が複雑になるという不都合が生じる。
【図面の簡単な説明】
【００８４】
【図１】衛星デジタル放送のサービス形態を示す模式図である。
【図２】衛星デジタル放送において使用されるチャンネルと周波数の関係を示す概念図ある。
【図３】１チャンネル分の放送信号の周波数帯域を示す模式図である。
【図４】地上アナログテレビジョン放送における周波数割り当て状態を示す概念図である。
【図５】デジタル放送受信装置を示すブロック図である。
【図６】地上アナログ／デジタルチューナの内部構成例を示すブロック図である。
【図７】地上アナログ／デジタルチューナの他の内部構成例を示すブロック図である。
【図８】フィルタの通過帯域幅を示す概念図である。
【図９】遠隔操作信号送信器の外観を示す模式図である。
【符号の説明】
【００８５】
３・・・地上アナログ／デジタルチューナ
３ｅ・・・音声用フィルタ
３ｆ・・・テレビ用フィルタ
１０・・・衛星デジタルチューナ
２０・・・制御部
【図１】
2006042128.tif 000005
【図２】
2006042128.tif 000006
【図３】
2006042128.tif 000007
【図４】
2006042128.tif 000008
【図５】
2006042128.tif 000009
【図６】
2006042128.tif 000010
【図７】
2006042128.tif 000011
【図８】
2006042128.tif 000012
【図９】
2006042128.tif 000013